(57)【特許請求の範囲】
【請求項１】
開口部を有し、着用者の甲側の部分を覆うインステップカバー部と、着用者の足裏を覆うソールカバー部と、を備えるシューズアッパーを製造するシューズアッパーの製造方法において、
少なくとも前後一対の針床を備える横編機を用いて、前記インステップカバー部の編出し部の編成を含む下記工程αを行なった後に下記工程βを行ない、下記工程βで左右に分離された状態で編成された前記ソールカバー部を接続する、あるいは前記ソールカバー部の編出し部の編成を含む下記工程βを行なった後に下記工程αを行ない、前記インステップカバー部の編終り部の解れ止めを行なうことで、前記インステップカバー部と前記ソールカバー部とを無縫製で一体に編成することを特徴とするシューズアッパーの製造方法。
［工程α］…前記インステップカバー部の左側部分にあたる本体左部と、前記インステップカバー部の右側部分にあたる本体右部と、がシューズアッパーの踵側と爪先側で繋がった状態となるように、引き返し編成および筒状編成の少なくとも一方を用いて、前記横編機の一方の針床で前記本体左部を編成すると共に、前記横編機の他方の針床で前記本体右部を編成する。
［工程β］…前記ソールカバー部の左側部分にあたる底左部と、前記ソールカバー部の右側部分にあたる底右部と、が分離された状態となるように、引き返し編成を用いて、前記横編機の一方の針床で前記底左部を編成すると共に、前記横編機の他方の針床で前記底右部を編成する。
【請求項２】
編出し部もしくは編終り部が前記本体左部と前記本体右部に接続され、前記インステップカバー部の厚み方向に重複する重複編地部を編成する場合、
前記重複編地部の編成が終了するまでの間は、前記インステップカバー部を構成する編目列を増加させる編成を行なわず、
前記インステップカバー部を構成する編目列を増加させる際は、前記インステップカバー部を編成する針床に前記重複編地部の編目が係止されていない状態としておくことを特徴とする請求項１に記載のシューズアッパーの製造方法。
【請求項３】
前記工程αにおいて、
前記インステップカバー部の編成領域に重複する位置で前記重複編地部を編出し、引き返し編成を用いて前記重複編地部を完成させた後、
その重複編地部の編終り部の編目列と、前記インステップカバー部の一部の編目列と、を重ね合わせて接続し、前記インステップカバー部を構成する編目列を増加させる編成を行なうことを特徴とする請求項２に記載のシューズアッパーの製造方法。
【請求項４】
前記工程αにおいて、
前記インステップカバー部の編成領域に重複する位置で前記インステップカバー部から分岐する前記重複編地部の編出し部を編成し、
その編出し部に続いて前記重複編地部を完成させ、前記重複編地部を針床から外すことを特徴とする請求項２に記載のシューズアッパーの製造方法。
【請求項５】
前記重複編地部を、前記インステップカバー部の開口部の近傍に接続することを特徴とする請求項２〜４のいずれか一項に記載のシューズアッパーの製造方法。
【請求項６】
前記工程αの後に前記工程βを行なう場合、前記工程βにおける前記ソールカバー部を、熱融着糸を含む融着編糸で編成し、
前記工程βで分離された状態で編成される前記底左部と前記底右部とを、編成によって接続した後、その接続部を熱処理によって融着させることを特徴とする請求項１〜５のいずれか一項に記載のシューズアッパーの製造方法。
【請求項７】
開口部を有し、着用者の甲側の部分を覆うインステップカバー部と、着用者の足裏を覆うソールカバー部と、を備えるシューズアッパーにおいて、
前記インステップカバー部の左側部分と右側部分をそれぞれ本体左部と本体右部とし、前記ソールカバー部の左側部分と右側部分を底左部と底右部としたとき、
前記本体左部と前記底左部との間、および前記本体右部と前記底右部との間に繋ぎ目がなく、かつ、前記底左部と前記底右部との境界部分に、シューズアッパーの編出し部または編終わり部が形成されており、
前記インステップカバー部と前記ソールカバー部の編幅方向が、シューズアッパーの長さ方向に向いていることを特徴とするシューズアッパー。
【発明の詳細な説明】
【技術分野】
【０００１】
本発明は、シューズアッパーの製造方法、およびそのシューズアッパーの製造方法を用いて得られたシューズアッパーに関する。
【背景技術】
【０００２】
シューズは、着用者の足裏を覆うソールカバー部と、着用者の甲側の部分を覆うインステップカバー部と、を有するシューズアッパーを備える。外履きのシューズでは、このシューズアッパーのソールカバー部に、合成樹脂などでできたアウターソールが取り付けられる。近年、シューズアッパーを構成するインステップカバー部とソールカバー部のうち、インステップカバー部を一枚の編地で構成し、生産性良くシューズを作製することが試みられている。例えば、特許文献１では、平面展開された状態のインステップカバー部を一枚の編地で作製し、それをソールカバー部と共に合成樹脂などでできたアウターソールに接合することで、シューズを完成させている。
【先行技術文献】
【特許文献】
【０００３】
【特許文献１】特表２０１２−５１２６９８号公報
【発明の概要】
【発明が解決しようとする課題】
【０００４】
しかし、特許文献１のシューズは、生産性に未だ改善の余地がある。【０００５】
特許文献１では、一枚の編地を裁断してインステップカバー部を得るか、もしくは成型編みを行なうことでインステップカバー部を得ている。前者の場合、編地の裁断工程と、インステップカバー部を立体形状にするための縫製工程と、が必要である。また、後者の場合、裁断工程は必要ないものの、縫製工程が必要である。【０００６】
本発明は上記事情に鑑みてなされたものであり、本発明の目的は、シューズアッパーを生産性良く製造することができるシューズアッパーの製造方法、およびそのシューズアッパーの製造方法で得られたシューズアッパーを提供することにある。
【課題を解決するための手段】
【０００７】
本発明のシューズアッパーの製造方法は、開口部を有し、着用者の甲側の部分を覆うインステップカバー部と、着用者の足裏を覆うソールカバー部と、を備えるシューズアッパーを製造するシューズアッパーの製造方法である。この本発明のシューズアッパーの製造方法は、少なくとも前後一対の針床を備える横編機を用いて、次の［１］あるいは［２］を行なうことで、インステップカバー部とソールカバー部とを無縫製で一体に編成することを特徴とする。
［１］インステップカバー部の編出し部の編成を含む下記工程αを行なった後に下記工程βを行ない、下記工程βで左右に分離された状態で編成されたソールカバー部を接続する。
［２］ソールカバー部の編出し部の編成を含む下記工程βを行なった後に下記工程αを行ない、インステップカバー部の編終り部の解れ止めを行なう。
［工程α］…インステップカバー部の左側部分にあたる本体左部と、インステップカバー部の右側部分にあたる本体右部と、がシューズアッパー１の踵側と爪先側で繋がった状態となるように、引き返し編成および筒状編成の少なくとも一方を用いて、横編機の一方の針床で本体左部を編成すると共に、横編機の他方の針床で本体右部を編成する。
［工程β］…ソールカバー部の左側部分にあたる底左部と、ソールカバー部の右側部分にあたる底右部と、が分離された状態となるように、引き返し編成を用いて、横編機の一方の針床で底左部を編成すると共に、横編機の他方の針床で底右部を編成する。【０００８】
本発明のシューズアッパーの製造方法として、編出し部もしくは編終り部がインステップカバー部の本体左部と本体右部に接続され、インステップカバー部の厚み方向に重複する重複編地部を編成する場合、次のように編成を行なうことが挙げられる。
・重複編地部の編成が終了するまでの間は、インステップカバー部を構成する編目列を増加させる編成を行なわない。
・インステップカバー部を構成する編目列を増加させる際は、インステップカバー部を編成する針床に重複編地部の編目が係止されていない状態としておく。
なお、『インステップカバー部を編成する針床に重複編地部の編目が係止されていない状態』とは、重複編地部の編目が全く作られていない状態（変形形態１−２を参照）、重複編地部の編目が針床から外れた状態（変形形態１−１を参照）、あるいは重複編地部の編目がインステップカバー部を編成する針床から退避した状態（実施形態１を参照）のことである。【０００９】
上記重複編地部を編成するシューズアッパーの製造方法は、端的に言えば、インステップカバー部と重複編地部とを並行して編成するのではなく、インステップカバー部と重複編地部とを順次編成するシューズアッパーの製造方法である。例えば、実施形態１のように、インステップカバー部を編成する前に重複編地部を編出して、重複編地部を完成させてからインステップカバー部の編成を開始する手順が挙げられる。あるいは、変形形態１−２のように、インステップカバー部の一部を編成した後、インステップカバー部の編成を一時中断して重複編地部を編出して完成させ、そしてインステップカバー部の残りを編成する手順が挙げられる。【００１０】
重複編地部を編成する本発明のシューズアッパーの製造方法として、工程αにおいて次の手順で編成を行なう形態を挙げることができる。なお、この形態では、工程αを先に行なっても良いし、工程βを先に行なっても良い。
・インステップカバー部の編成領域に重複する位置で重複編地部を編出し、引き返し編成を用いて重複編地部を完成させる。
・その後、重複編地部の編終り部の編目列と、インステップカバー部の一部の編目列と、を重ね合わせて接続し、インステップカバー部を構成する編目列を増加させる編成を行なう。【００１１】
重複編地部を編成する本発明のシューズアッパーの製造方法として、工程αにおいて次の手順で編成を行なう形態を挙げることができる。なお、この形態では、工程αを先に行なっても良いし、工程βを先に行なっても良い。
・インステップカバー部の編成領域に重複する位置でインステップカバー部から分岐する重複編地部の編出し部を編成する。
・その編出し部に続いて重複編地部を完成させ、重複編地部を針床から外す。【００１２】
重複編地部を編成する本発明のシューズアッパーの製造方法として、重複編地部を、インステップカバー部の開口部の近傍に接続する形態を挙げることができる。【００１３】
本発明のシューズアッパーの製造方法として、工程αの後に工程βを行なう場合、工程βにおけるソールカバー部を、熱融着糸を含む融着編糸で編成し、工程βで分離された状態で編成される底左部と底右部とを、編成によって接続した後、その接続部を熱処理によって融着させる形態を挙げることができる。【００１４】
一方、本発明のシューズアッパーは、開口部を有し、着用者の甲側の部分を覆うインステップカバー部、着用者の足裏を覆うソールカバー部、を備える。この本発明のシューズアッパーでは、インステップカバー部の左側部分と右側部分をそれぞれ本体左部と本体右部とし、ソールカバー部の左側部分と右側部分を底左部と底右部としたとき、少なくとも下記［１］〜［３］を満たすことを特徴とする。
［１］本体左部と底左部との間、および本体右部と底右部との間に繋ぎ目がない。
［２］底左部と底右部との境界部分に、シューズアッパーの編出し部または編終わり部が形成されている。
［３］インステップカバー部とソールカバー部の編幅方向が、シューズアッパーの長さ方向に向いている。
【発明の効果】
【００１５】
本発明のシューズアッパーの製造方法によれば、インステップカバー部とソールカバー部とが無縫製で一体に編成された本発明のシューズアッパーを、複雑な編成動作を用いることなく容易に製造することができる。また、本発明のシューズアッパーの製造方法によれば、インステップカバー部とソールカバー部の編幅方向がシューズアッパーの長さ方向に向いて揃っている本発明のシューズアッパーを製造することができる。このように全体的に編幅方向が揃っており、インステップカバー部とソールカバー部との間に繋ぎ目となる段差がない本発明のシューズアッパーは、見た目・履き心地に優れる。【００１６】
重複編地部を編成する本発明のシューズアッパーの編成方法によれば、インステップカバー部を部分的に多層構造とすることができる。例えば、踵や開口部などの部分を多層構造として、インステップカバー部を補強することができる。また、多層構造となっている部分は、クッション材などを収納する収納部として利用することもできる。【００１７】
ここで、インステップカバー部を部分的に多層構造とするにあたって、本発明のシューズアッパーの製造方法では、重複編地部とインステップカバー部とを順次編成する構成を採用している。そのため、重複編地部を編成する間はインステップカバー部を編成しないので、重複編地部の目面（ｌｏｏｐ  ｑｕａｌｉｔｙ）がインステップカバー部に比べて低下することがない。多層構造となっている部分は、インステップカバー部を補強する役割や、クッション材などの収納部としての役割を果たす。特に、重複編地部をインステップカバー部の開口部の近傍に接続することで、当該開口部を補強することができ、開口部周りのデザイン性を向上させることができる。
【図面の簡単な説明】
【００１８】
【図１】（Ａ）は実施形態１に示すシューズアッパーの概略上面斜視図、（Ｂ）はそのシューズアッパーの概略下面斜視図である。
【図２】（Ａ）は実施形態２に示すシューズアッパーの概略上面斜視図、（Ｂ）はそのシューズアッパーの概略下面斜視図である。
【図３】（Ａ）は実施形態３に示すシューズアッパーの概略上面斜視図、（Ｂ）はそのシューズアッパーの概略下面斜視図である。
【発明を実施するための形態】
【００１９】
以下、本発明のシューズアッパーの製造方法、および本発明のシューズアッパーの実施形態を図に基づいて説明する。シューズアッパーの製造方法には、少なくとも前後一対の針床を備え、前後の針床間で編目の目移しが可能な２枚ベッド横編機を用いた。いずれの実施形態においても、横編機の一方の針床では奇数番目の編針に編目を係止させ、他方の針床では偶数番目の編針に編目を係止させる編成、いわゆる針抜き編成を行なう。もちろん、使用する横編機は、２枚ベッド横編機に限定されるわけではなく、例えば４枚ベッド横編機であっても良い。
【００２０】
＜実施形態１＞
≪全体構成≫
図１に示す本実施形態のシューズアッパー１は、着用者の足の甲側の部分を覆うインステップカバー部３と、着用者の足裏の部分を覆うソールカバー部２と、を備える。シューズアッパー１はさらに、ソールカバー部２の外側に図示しないアウターソールを備えていても良い。この実施形態のシューズアッパー１は、以下の二点で従来のシューズアッパーと異なる。
［１］インステップカバー部３とソールカバー部２とが繋ぎ目なく、無縫製で立体的に編成されている。
［２］インステップカバー部３とソールカバー部２の編幅方向が共に、シューズアッパー１の長さ方向、即ち踵と爪先とを繋ぐ方向に向いて揃っている（丸囲み拡大図を参照）。
【００２１】
上記［１］と［２］の構成は、シューズアッパー１の製造方法に起因して形成される。シューズアッパー１の製造方法については後ほど詳しく説明するが、簡単に言えば次のようになる。
・横編機に備わる一方の針床で、インステップカバー部３の左側部分にあたる本体左部３Ｌ、およびソールカバー部２の左側部分にあたる底左部２Ｌを編成する。
・横編機に備わる他方の針床で、インステップカバー部３の右側部分にあたる本体右部３Ｒ、およびソールカバー部２の右側部分にあたる底右部２Ｒを編成する。
なお、インステップカバー部３とソールカバー部２の左右の配分は特に限定されないが、当該配分はおよそ１：１とすることが好ましい。
【００２２】
上記インステップカバー部３とソールカバー部２とは、熱融着糸を含む融着編糸で編成することが好ましい。融着編糸を用いることで、シューズアッパー１を足型にはめて熱処理したときに、シューズアッパー１を立体的に成形することができる。もちろん、インステップカバー部３とソールカバー部２とを、熱融着糸を含まない非融着編糸で編成することもできるし、インステップカバー部３とソールカバー部２の一部を融着編糸、残部を非融着編糸で編成しても構わない。例えば、爪先や踵、足指の付け根のやや踵側の部分などを融着編糸で編成し、残部を非融着編糸で編成することなどを挙げることができる。
【００２３】
インステップカバー部３の上方には開口部５が形成されている。開口部５は、着用者が足を挿入する履き口５ｉと、履き口５ｉから爪先側に向かって延びるスリット５ｓと、を備える。その開口部５の縁部近傍で、かつインステップカバー部３の内側には内側編地部（重複編地部）４が接続されている（ハッチング部分を参照）。本実施形態の内側編地部４は、開口部５の縁部近傍のうち、踵側の一部を除く部分を縁取るように設けられている。もちろん、内側編地部４は、開口部５の縁部近傍全体を縁取るように設けられていても構わない。その他、内側編地部４を開口部５の縁部以外の部分、例えば踵の部分に設けても構わない。
【００２４】
上記内側編地部４は必須の構成ではないが、開口部５の縁部近傍に内側編地部４を設けることで開口部５の縁部を補強することができる。加えて、内側編地部４によってシューズアッパー１のデザイン性を向上させることもできる。この内側編地部４は、融着編糸で編成しても良いし、非融着編糸で編成しても良い。後者の場合、内側編地部４が柔らかく仕上がるので、開口部５の縁部に起因する靴擦れを緩和することができる。
【００２５】
なお、内側編地部４の代わりに、開口部５の縁部近傍で、かつインステップカバー部３の外側に接続される外側編地部（重複編地部）を設けても構わない。外側編地部は、内側編地部４と同様に、開口部５の縁部の補強効果、およびシューズアッパー１のデザイン性の向上効果を持つ。もちろん、後述する実施形態３に示すように、内側編地部４と外側編地部６（図３参照）の両方をインステップカバー部３に設けても良い。
【００２６】
≪シューズアッパーの製造方法≫
上記シューズアッパー１は、インステップカバー部３の側から編成を開始し、ソールカバー部２の側で編終る第一の製造方法、あるいはソールカバー部２の側から編成を開始し、インステップカバー部３の側で編終る第二の製造方法によって製造することができる。ここで、本実施形態では、第一の製造方法について説明する。その説明にあたっては、図１に白抜き矢印と大文字アルファベットで示す編成の要所を参照する。なお、以下に示す第一の製造方法の手順は一例に過ぎず、本発明のシューズアッパーの製造方法は以下の手順に限定されるわけではない。
【００２７】
まず、インステップカバー部３を編成する前に、一方の針床で内側編地部４の左側部分にあたる内左部４Ｌの編出し部（図１（Ａ）のラインＡ−Ｂ−Ｃ）を編成すると共に、他方の針床で内側編地部４の右側部分にあたる内右部４Ｒの編出し部（図１（Ａ）のラインＡ−Ｄ−Ｅ）を編成する。各編出し部に基づいて引き返し編成とＣ字状編成を用いて内側編地部４を完成させる。この時点で、一方の針床には内左部４ＬのラインＦ−Ｃの編目が係止され、他方の針床には内右部４ＲのラインＦ−Ｅの編目が係止された状態となる。
【００２８】
次に、一方の針床に係止される内左部４Ｌの編目を他方の針床の空針に退避させておき、内側編地部４の編成に利用した給糸口とは別の給糸口を用いて、一方の針床でインステップカバー部３の左側部分にあたる本体左部３Ｌの編出し部（ラインＧ−Ｈ−Ｃ−Ｉ）を編成する。その編出し部に基づいて、引き返し編成を用いて本体左部３Ｌの一部（Ｇ−Ｈ−Ｃ−Ｆで囲まれる部分）を編成し、他方の針床に退避させておいた内左部４Ｌの編目を、一方の針床上で本体左部３Ｌの編目と重ね合わせる。その結果、ラインＦ−Ｃで内左部４Ｌと本体左部３Ｌとが接続される。
【００２９】
なお、本実施形態のシューズアッパーの編成方法では、内側編地部４を完成させた後、インステップカバー部３の編成を開始するため、インステップカバー部３を編成する際、内側編地部４の編成に利用した給糸口と同じものを利用することもできる。
【００３０】
次に、他方の針床に係止される内右部４Ｒの編目を一方の針床の空針に退避させておき、他方の針床でインステップカバー部３の右側部分にあたる本体右部３Ｒの編出し部（ラインＧ−Ｊ−Ｅ−Ｉ）を編成する。その編出し部に基づいて、引き返し編成を用いて本体右部３Ｒの一部（Ｇ−Ｊ−Ｅ−Ｆで囲まれる部分）を編成し、一方の針床に退避させておいた内右部４Ｒの編目を、他方の針床上で本体右部３Ｒの編目と重ね合わせる。その結果、ラインＦ−Ｅで内右部４Ｒと本体右部３Ｒとが接続される。
【００３１】
ここで、本体左部３Ｌと本体右部３Ｒにおいて、スリット５ｓの形成方向に沿って並ぶ複数の鳩目孔（ｅｙｅｌｅｔ  ｈｏｌｅ）を形成しても良い、鳩目孔を形成することで、シューレースタイプのシューズアッパー１とすることができる。鳩目孔は公知のメッシュ編成などで形成することができる。
【００３２】
次いで、一方の針床でインステップカバー部３の本体左部３Ｌを編成すると共に、他方の針床でインステップカバー部３の本体右部３Ｒを編成する。その際、引き返し編成、およびＣ字状編成を適宜使い分け、インステップカバー部３を完成させる。例えば、本実施形態では、シューズアッパー１の爪先側のラインＦ−Ｋで本体左部３Ｌと本体右部３Ｒとを繋ぎ、踵側で本体左部３Ｌと本体右部３Ｒとを繋ぎ目無く編成するＣ字状編成を主に行なっており、必要に応じて引き返し編成を行なってインステップカバー部３の形状を整えている。もちろん、必要に応じて部分的に筒状編成を用いることもできる。
【００３３】
ここで、実施形態１のシューズアッパー１では、インステップカバー部３と内側編地部４が重なった２層構造となっている部分がある。通常、片側の針床で２層構造の編地の各層を並行して編成する場合、編針の数が足らないために、いずれかの層の編目数が他の層の編目数よりも少ない状態（目面が粗い状態）となってしまう。これに対して、実施形態１のシューズアッパー１では、いずれかの層の目面が粗くなることがない。それは、内側編地部４とインステップカバー部３とを順次編成するため、各部３，４を編成する際、編針が足らなくなることがなく、各部３，４を同一の編目間隔で編成できるからである。このように、各部３，４の目面が揃っていると、シューズアッパー１の見栄えが良いし、各部３，４の強度を確保することができる。
【００３４】
インステップカバー部３の編成が終了したら、一方の針床に本体左部３Ｌの編終り部が係止され、他方の針床に本体右部３Ｒの編終り部が係止された状態になる。本体左部３Ｌの編終り部の編目は、図１（Ｂ）に示すソールカバー部２の紙面上側の輪郭ラインＫ−Ｌに並ぶ編目であり、本体右部３Ｒの編終り部の編目は、ソールカバー部２の紙面下側の輪郭ラインＫ−Ｌに並ぶ編目である。この状態から、一方の針床で引き返し編成を行なうことでソールカバー部２の左側部分にあたる底左部２Ｌを形成すると共に、他方の針床で引き返し編成を行なうことでソールカバー部２の右側部分にあたる底右部２Ｒを形成する。最後に、中央ラインＫ−Ｌで底左部２Ｌと底右部２Ｒとを接続し、シューズアッパー１を完成させる。
【００３５】
底左部２Ｌと底右部２Ｒとの接続方法は特に限定されず、例えば公知の伏目処理を利用することができる。あるいは、前後の針床に交互に編目を編成する前後ニットで底左部２Ｌと底右部２Ｒとを接続しても良い。目移しを必要としない前後ニットを用いることで、目移しを必須とする伏目処理よりも極めて短時間で両部２Ｌ，２Ｒ同士を接続できる。後述する熱処理によって接続部（即ち、シューズアッパー１の編終り部）が融着されるので、どのような接続方法を利用して接続部を形成しても、接続部の接続強度は確保される。また、接続部はシューズアッパー１の着用時に見えない位置にあるため、接続部によってシューズアッパー１の見栄えが損なわれることはない。
【００３６】
以上説明した手順に従えば、増し目や減らし目の形成、複雑な目移しなどを殆ど、あるいは全く行なうことなくシューズアッパー１を編成することができる。そのため、シューズアッパー１を生産性良く製造することができる。
【００３７】
シューズアッパー１の編成が終了したら、シューズアッパー１全体を足型にはめて熱処理し、シューズアッパー１を立体的に成形する。また、この熱処理によって、底左部２Ｌと底右部２Ｒとの接続部が融着され、両部２Ｌ，２Ｒが分離することを回避できる。
【００３８】
＜変形形態１−１；ソールカバー部から編出すシューズアッパー＞
図１に示すシューズアッパー１は、ソールカバー部２の側から編成を開始し、インステップカバー部３の側で編終る第二の製造方法によって製造することもできる。その場合、図１（Ｂ）の中央のラインＫ−Ｌに相当する編出し部を、一方の針床と他方の針床にわたって編成する。次いで、一方の針床でソールカバー部２の底左部２Ｌを編成すると共に、他方の針床でソールカバー部２の底右部２Ｒを編成し、ソールカバー部２を完成させる。そして、内側編地部４との接続箇所（ラインＣ−Ｆ−Ｅ）までインステップカバー部３を編成した後、インステップカバー部３から内側編地部４を分岐させる。分岐部の形成には割増しなどを利用することができる。最後に、インステップカバー部３を完成させた後、内側編地部４を完成させる、あるいは内側編地部４を完成させた後、インステップカバー部３を完成させれば良い。この場合、インステップカバー部３の開口部５の縁部が、インステップカバー部３の編終り部になる。
【００３９】
別の編成例として、内側編地部４との接続箇所（ラインＣ−Ｆ−Ｅ）までインステップカバー部３を編成した後、インステップカバー部３が係止されていない空針で内側編地部４を編出しても良い。その場合、内側編地部４の編出し部は、ラインＣ−Ｂ−Ａ−Ｄ−Ｅとなる。この編出し部から内側編地部４を完成させた後、内側編地部４の編終り部（ラインＣ−Ｆ−Ｅ）をインステップカバー部３に接続し、インステップカバー部３の残りの部分（Ｃ−Ｈ−Ｇ−Ｊ−Ｅ−Ｆで囲まれる部分）を編成する。
【００４０】
＜変形形態１−２；インステップカバー部から編出すシューズアッパー＞
実施形態１では、内側編地部４を編成した後、インステップカバー部３を編成し、そしてインステップカバー部３の編成途中で内側編地部４とインステップカバー部３とを接続した。これに対して、インステップカバー部３の一部を先に編成した後、内側編地部４を編成し、内側編地部４とインステップカバー部３とを接続しても良い。例えば、一方の針床でインステップカバー部３の本体左部３Ｌの一部（Ｇ−Ｈ−Ｃ−Ｆで囲まれる部分）を編成し、他方の針床で本体右部３Ｒの一部（Ｇ−Ｊ−Ｅ−Ｆで囲まれる部分）を編成する。即ち、内側編地部４の編目が全く作られていない状態で、インステップカバー部３を構成する編目を増加させる編成を行なう。次いで、インステップカバー部３の編成を一時中断して、一方の針床の空針を用いて内側編地部４の内左部４Ｌを編成し、目移しを用いて内左部４Ｌと本体左部３Ｌとを接続する。同様に、他方の針床の空針を用いて内右部４Ｒを編成し、目移しを用いて内右部４Ｒと本体右部３Ｒとを接続する。
【００４１】
別の編成例として、インステップカバー部３の編成を中断する際、インステップカバー部３から内側編地部４を分岐させ、内側編地部４を編成しても良い。その場合、ラインＣ−Ｆ−Ｅが内側編地部４の編出し部、ラインＣ−Ｂ−Ａ−Ｄ−Ｅが内側編地部４の編終り部となる。
【００４２】
＜変形形態１−３；外側編地部を備えるシューズアッパー＞
実施形態１では、インステップカバー部３の内側に内側編地部４を形成した。これに対して、内側編地部４の代わりに、インステップカバー部３の外側に外側編地部（重複編地部）を形成しても良い。外側編地部を備えるシューズアッパー１も、実施形態１と同様に編成することができる。例えば、図１に示す内側編地部４をインステップカバー部３のスリット５ｓ近傍の部分と考え、図１に示す内側編地部４の外側にあるインステップカバー部３の一部を外側編地部と考え、実施形態１と同様の手順の編成を行なえば良い。
【００４３】
＜実施形態２＞
実施形態１では、インステップカバー部３のスリット５ｓに合わせて内側編地部４にもスリットが形成されていた。これに対して、内側編地部４のスリットの一部、あるいは全部を閉じても良い。実施形態２では、内側編地部４のスリットを全部閉じたシューズアッパー１０を図２に基づいて説明する。なお、図２では、説明の便宜上、内側編地部４に図の水平線に対して約１５０°のハッチングを付けている。
【００４４】
図２に示す実施形態２のシューズアッパー１０では、内側編地部４の爪先側の一部がインステップカバー部３のスリット５ｓ全体を閉じるように形成され、内側編地部４の踵側の残部が履き口５ｉの一部を構成するように形成されている。もちろん、内側編地部４の踵側の部分が、インステップカバー部３の履き口５ｉの全周にわたって形成されていても良い。
【００４５】
図２のシューズアッパー１０を編成する場合、例えば、一方の針床で内側編地部４の内左部４Ｌを編成すると共に、他方の針床で内右部４Ｒを編成する際、インステップカバー部３のスリット５ｓに対応する部分では、内左部４Ｌと内右部４Ｒとが繋がった状態とする。そして、実施形態１と同様に、インステップカバー部３の本体左部３Ｌの一部を編成し、ラインＡ−Ｂの位置で内左部４Ｌと本体左部３Ｌとを接続することと、本体右部３Ｒの一部を編成し、ラインＡ−Ｃの位置で内右部４Ｒと本体右部３Ｒとを接続することと、を行なう。その際、本体左部３Ｌ（本体右部３Ｒ）を編成するときは、本体左部３Ｌ（本体右部３Ｒ）を編成する針床から内左部４Ｌ（内左部４Ｒ）を退避させておく。後は、実施形態１と同様に、インステップカバー部３を完成させ、さらに図２（Ｂ）に示すソールカバー部２を完成させる。
【００４６】
なお、本実施形態のシューズアッパー１０も、ソールカバー部２から編出し、インステップカバー部３で編終ることができる。
【００４７】
＜実施形態３＞
実施形態３では、内側編地部４と外側編地部６の両方を備えるシューズアッパー１００を図３に基づいて説明する。なお、図３では、説明の便宜上、内側編地部４に図の水平線に対して約３０°のハッチングを、インステップカバー部３の表側の部分に約１１０°のハッチングを付けている。
【００４８】
図３のシューズアッパー１００を編成する場合、例えば、内側編地部４を最初に編成することが挙げられる。内側編地部４は、一方の針床と他方の針床にわたる編出し部を形成した後、一方の針床と他方の針床の両方で内側編地部４を編成する、あるいは一方の針床と他方の針床のいずれかで内側編地部４を編成することができる。この内側編地部４を弾性編糸によって編成すれば、インステップカバー部３のスリット５ｓの間隔が開き過ぎることを抑制でき、また内側編地部４の収縮によって着用者の足にシューズアッパー１をフィットさせることができる。さらに、内側編地部４を袋編みすれば、内側編地部４の厚みを厚くすることができ、内側編地部４の収縮性を向上させることができる。
【００４９】
次いで、実施形態１と同様の手順で、インステップカバー部３の本体左部３Ｌの一部を編成し、本体左部３Ｌと内側編地部４とを接続することと、本体右部３Ｒの一部を編成し、本体右部３Ｒと内側編地部４とを接続することと、を行なう。
【００５０】
次いで、インステップカバー部３の一部と外側編地部６を編成すると共に、インステップカバー部３と外側編地部６とを接続する。これらの編成・接続は、内側編地部４とインステップカバー部３の編成・接続と同様に行なうことができる。具体的には、本体左部３Ｌを、外側編地部６の左側部分にあたる外左部６Ｌとの接続位置まで編成する。そして、本体左部３Ｌの編目を一方の針床から他方の針床に預けておいてから、外左部６Ｌを編成し、本体左部３Ｌと外左部６Ｌとを接続する。また、本体右部３Ｒを、外側編地部６の右側部分にあたる右左部６Ｒとの接続位置まで編成する。そして、本体右部３Ｒの編目を他方の針床から一方の針床に預けておいてから、外右部６Ｒを編成し、本体右部３Ｒと外右部６Ｒとを接続する。
【００５１】
以降は、実施形態１と同様に、インステップカバー部３を完成させ、さらに図３（Ｂ）に示すソールカバー部２を完成させれば、図３のシューズアッパー１００を製造することができる。
【００５２】
ここで、実施形態３のシューズアッパー１００では、インステップカバー部３と内側編地部４と外側編地部６とが重なった３層構造となっている部分がある。実施形態１で既に説明したように、通常、片側の針床で多層構造の編地の各層を並行して編成する場合、編針の数が足らないために、いずれかの層の目面が粗くなってしまう。これに対して、実施形態３のシューズアッパー１００では、いずれかの層の目面が粗くなることがない。それは、内側編地部４とインステップカバー部３と外側編地部６とを順次編成するからである。
【００５３】
なお、シューズアッパー１００も、ソールカバー部２から編出し、インステップカバー部３で編終ることができる。
【符号の説明】
【００５４】
１，１０，１００  シューズアッパー
２  ソールカバー部    ２Ｌ  底左部  ２Ｒ  底右部
３  インステップカバー部    ３Ｌ  本体左部  ３Ｒ  本体右部
４  内側編地部（重複編地部）    ４Ｌ  内左部  ４Ｒ  内右部
５  開口部    ５ｉ  履き口  ５ｓ  スリット
６  外側編地部（重複編地部）    ６Ｌ  外左部  ６Ｒ  外右部
【図１】
0005980416.tif 000002
【図２】
0005980416.tif 000003
【図３】
0005980416.tif 000004